(57)【要約】【課題】操作が容易で、一つボタンを押すことによって、予め設定されたメッセージを予め定められた送信先に送信することができる通報技術を提供する。【解決手段】一つの押しボタンに対応する、所定の情報と所定の通報先をデータ記憶メモリに格納しておき、該押しボタンが押下された場合、該所定の通報先に、該所定の情報が通報されるように構成される。【選択図】　図２
2004015082.tif 000002
【特許請求の範囲】
【請求項１】
情報の送受信が可能な通信手段と、押しボタンと、該押しボタンに対応した通報情報及び該押しボタンに対応した通報先が記憶されているメモリと、該押しボタンが押下されたとき、該押ボタンに対応する該通報情報が該通報先に送信される制御手段とを備えることを特徴とする通報装置。
【請求項２】
請求項１記載の通報装置において、該押ボタンと該通信手段が別体に設けられることを特徴とする通報装置。
【請求項３】
請求項１記載の通報装置において、該押ボタンと該通信手段が一体に設けられることを特徴とする通報装置。
【請求項４】
請求項１記載の通報装置において、該通信手段が予め定められた相手から、予め定められた内容の情報を受信したとき、該制御手段により制御されて音声を該通報先に送信する音声通信手段を備えることを特徴とする通報装置。
【請求項５】
請求項１記載の通報装置において、該通信手段が予め定められた相手から、予め定められた内容の情報を受信したとき、該制御手段により制御されて、画像を該通報先に送信する画像送信手段を備えることを特徴とする通報装置。
【請求項６】
請求項１記載の通報装置において、該通信手段が予め定められた相手から、予め定められた内容の文字情報を受信したとき、該制御手段により制御されて、通報装置の位置を該通報先に送信する位置検索手段を備えることを特徴とする通報装置。
【請求項７】
請求項１記載の通報装置において、情報表示手段を設け、該情報表示手段に、押下された該押ボタンに対応するメッセージの内容を表示することを特徴とする通報装置。
【請求項８】
請求項１記載の通報装置において、該制御手段は押ボタンが押下されたときに、押ボタンが操作されたことを通報装置の所有者に通知する押しボタン押下通知手段を有することを特徴とする通報装置。
【請求項９】
請求項８記載の通報装置において、押しボタン押下通知手段はメッセージ表示、音声、光、振動の少なくともいずれか１つにより通知することを特徴とする通報装置。
【請求項１０】
請求項１記載の通報装置において、外部から着信した情報によりメモリに格納されている通報情報を書き換える手段を有することを特徴とする通報装置。
【発明の詳細な説明】
【０００１】
【発明の属する技術分野】
本発明は、自己の情報を簡単な方法で第三者に知らせることができる通報装置に関するものである。
【０００２】
【従来の技術】
従来、携帯電話やモバイル等の通信装置を使用してメッセージを送信する場合には、まず通報先を入力し、次に、メッセージ本文を手入力することによって行っていた。
【０００３】
【発明が解決しようとする課題】
携帯電話等の通信装置によるメッセージ送信は、手順が煩わしく高齢者または幼年にとって操作が困難というのが現状である。
【０００４】
本発明の目的は、上記の問題点を解決し、操作が容易で、一つのボタンを押すことによって、予め設定されたメッセージを予め定められた送信先に送信することができる通報技術を提供することにある。
【０００５】
【課題を解決するための手段】
本発明の目的を達成するために、第１の発明では、ワンボタン通報装置は、数個のボタンを設けたボタン装置と、ボタン装置から入力される電気信号を処理し、その信号に対して通報する情報データを出力する制御装置、制御装置からの出力信号に対して情報通報を行う通信装置より構成されている。また、制御装置には、数個の押ボタンに対応した情報を格納したデータ記録用メモリ、制御装置を動作するプログラム用メモリを設けている。
【０００６】
該装置は、押ボタンが押下された場合に、該データ記録用メモリに記録されている通報先データを該通信端末に伝送すると共に、該押ボタンに応じて該情報データを選択して該通信装置に伝送する。また、通報先入力スイッチを設け、該通報先入力スイッチを用いて、該通報先の通信端末から発呼させ、該通報先の通信端末の通報先を該データ記録用メモリに格納する。また、該情報データは文字情報、音声情報、画像情報または位置情報などである。
【０００７】
【発明の実施の形態】
以下、本発明の実施の形態について、幾つかの実施例を用い、図を参照して説明する。
【０００８】
図１は本発明による通報装置の一実施例を示す概略図である。図において、１はメールの送受信が可能な通信装置、３はｎ個の押ボタン４ａ〜４ｎが設けられている押ボタン装置、２は通信装置１、押しボタン装置３を制御する制御装置である。ここで、通信装置１は携帯電話などの無線端末を用いることができる。
通信装置１と制御装置２は通信装置専用のコネクタ部をもつ電気信号伝送ケーブル７で接続され、制御装置２と押ボタン装置３は電気信号伝送ケーブル８で接続されている。
また、通信装置１の外部機器との接続による電波感度の低下は、外部アンテナ５をアンテナケーブル６で通信装置１に接続することで補うことができる。
【０００９】
本実施例においては押しボタン装置３の押ボタン４ａ、４ｂ、…、４ｎのいずれかが押下された場合、制御装置２は押ボタン装置３から押ボタン４ａ、４ｂ、…、４ｎのいずれかが押下されたことの信号を受信し、制御装置２から通信装置１に通信を開始するように通報先が通知され、発信される。続いて、押ボタン４ａ、４ｂ、…、４ｎの内押下された押しボタンに対応した情報データが通信装置１から送信される。
【００１０】
図２は図１に示す本発明による通報装置の詳細な一実施例を示すブロック図である。図において、制御装置２には、入力信号検出部９、ＣＰＵ１０、ランプ部１１、通報先入力スイッチ１２、外部バッテリー１３が含まれている。また、制御装置２と入力信号検出部９は信号ケーブル８ａ〜８ｎで接続されている。
ＣＰＵ１０には、プログラム用メモリＡと通報先や通報する文字情報などが記録されているデータ記録メモリＢが設けられている。このＣＰＵ１０は、通常商用電源によって駆動されているが、停電などによって、商用電源が印加されない場合を考慮してバックアップ用の外部バッテリー１３が設けられている。
【００１１】
更に、このＣＰＵ１０のデータ記録用メモリＢに通報先を登録する時に使用するランプ１１、例えば、ＬＥＤランプが設けられている。通報先入力スイッチ１２はデータ記録用メモリＢに通報先を登録する際にオンにする。この通報先入力スイッチ１２をオンにした後、通報先である通信端末から、通信装置１に対して発呼すると、データ記録用メモリＢに通報先が記録できるようになっている。この通報先入力スイッチ１２が無い場合、本装置と無関係な通信装置が誤って、または偶然に通信装置１に発呼すると、その無関係な通信装置の連絡先がデータ用メモリＢに記録されてしまうという事態が発生する。従って、この通報先入力スイッチ１２がオフの場合には通報先の記録ができないようにして、不要な連絡先がデータ用メモリＢに記録されるのを防止している。
【００１２】
図３は図２に示す本発明による制御装置の更に詳細な一実施例を示すブロック図である。
図に示すように、データ記録用メモリＢには各押ボタン４ａ、４ｂ、…、４ｎに対応する押ボタン４ａの文字情報１５ａ〜押ボタン４ｎの文字情報１５ｎが記録されている。この文字情報としっては、例えば、「外出します」、「帰宅しました」等がある。更に、データ記録用メモリＢには、複数の通報先、第１通報先１６ａ〜第ｎ通報先１６ｎが記録されている。各押ボタン４ａ、４ｂ、…、４ｎに対応して第１の通報文字情報スイッチ１７ａ〜第ｎの通報文字情報スイッチ１７ｎ、第１通報先スイッチ１８ａ〜第ｎ通報先スイッチ１８ｎが設けられている。また、通報先をデータ記録メモリＢに記録する場合に用いる第１の通報先記録スイッチ１９ａ〜第ｎの通報先記録スイッチ１９ｎが設けられている。
【００１３】
この制御装置２において、押ボタン装置３のなかで、例えば押ボタン４ａを押下した場合、プログラム用メモリＡのプログラムによって、第１の通報先スイッチ１８ａがオンとなり、通信装置１に第１の通報先１６ａが通知され通信装置１から発呼される。次いで、第１の通報文字情報スイッチ１７ａがオンとなり、対応する押ボタン１の文字情報１５ａが通報装置１に入力され、第１の通報先へ発信される。
第２の通報先スイッチ１８ｂがオンとなった場合、第２の通報先１６ｂが通信装置１に入力されて発呼されると共に、第２の通報文字情報スイッチ１７ｂがオンとなり、押ボタン４ｂに対応する文字情報１５ｂが通信装置１に入力され第２の通報先へ発信される。このようにして、第１〜第ｎの通報先１６ａ〜１６ｎに対して、それぞれ押ボタン４ａ〜４ｎの文字情報が通知される。
本実施例において、押しボタン４ａ〜４ｎの何れかを押下した場合、押しボタンに対応した文字情報が第１〜第ｎの通報先の内の複数の通報先に通報されるようにしてもよい。他のボタンを押下した場合も同様にして、一つまたは複数の通報先に通報することができる。
本実施例では、通報する情報として文字情報を例にとって説明したが、通報する情報は必ずしも文字情報である必要はなく、例えば、音声、映像等の情報でも良い。
【００１４】
次に図４を用いて、本通報装置に通報先を記憶する場合の動作を説明する。
図４は図３に示すＣＰＵに通報先を記憶させる場合の処理動作を示すフローチャートである。
ステップ４１で、図３の通報先入力スイッチ１２をオンにすると、プログラム用メモリＡからの指令によって、第１の通報先記憶スイッチ１９ａがオンし、ステップ４２に移行してランプ部１１が点滅している最中に通報先である通信装置から通信装置１に対して発呼をすると、ステップ４３に移行して通報先である通信装置の連絡先は通信装置１に受信され、第１の通報先記録スイッチ１９ａを通してデータ記録用メモリＢに格納される。同時に、ランプ１１を一定時間点灯させ格納完了を報知させる。通報先入力スイッチ１２をオン状態に保っていると、ステップ４４に示すようにランプ１１はまた点滅するので、ステップ４５で別の通報先である通信装置から発呼すると、別の通報先の通信装置への連絡先が通信装置１で受信され、プログラム用メモリＡからの指令によって、第２の通報先記憶スイッチ１９ｂがオンし、データ記録用メモリＢの第２の通報先として、データ記録用メモリＢに格納される。このようにして、通報先である通信装置の連絡先を繰り返しデータ記録用メモリＢに格納する。通報先である通信装置の連絡先が全てデータ記録用メモリＢに格納されると、ステップ４６で通報先入力スイッチ１２をオフにする。この通報先入力スイッチ１２をオフにするとステップ４７でランプ１１が消灯し、通報先である通信装置の通報先をデータ記録用メモリＢに格納する作業が完了する。
通報先である通信装置の連絡先をデータ記録用メモリＢに格納する場合に、通報先である通信装置から文字情報を送信してデータ記録用メモリＢに格納するようにしてもよい。
【００１５】
次に、押ボタン装置３の押ボタン４ａ〜４ｎが押下された場合の動作について図５を用いて説明する。
図５は押ボタン装置の押しボタンが押下された時の通報動作を説明するためのフローチャートである。
図において、ステップ５１で押ボタン４ａ〜４ｎの何れかがが押下される。例えば、押しボタン４ａが押下されたと仮定すると、押しボタン４ａが押下されたことに対する信号が制御装置２に入力され、プログラム用メモリＡからの指令によって、第１の通報先スイッチ１８ａ及び押ボタン４ａの通報文字情報１５ａに対応するスイッチ、即ち第１の通報文字情報スイッチ１７ａがオンされる。制御装置２から通信装置１へ通知する通報先の情報としては、電話番号、メッセージ送信コード、Ｅメールアドレスなどがある。
第１の通報先１６ａが通信装置１に入力されると、ステップ５２で、第１の通報先１６ａの通信装置に対して通信動作が開始され、通信装置１と通報先の通信装置とが接続される。その後、ステップ５３に移行して、押しボタン４ａに対応して文字情報等の通報内容である文字情報１５ａが文字情報スイッチ１７ａを通して通報装置１に入力され、通報装置１から第１の通報先の通信装置に送信される。
【００１６】
次に、プログラム用メモリＡのプログラムの指令によって、第２の通報先スイッチ１８ｂがオンし、第２の通報先１６ｂが通報装置１に入力され、押ボタン４ａに対応する文字情報１５ａが第２の通報先である通信装置へ発信される。このようにして、押ボタン４ａに対応した押ボタン４ａの文字情報１５ａはデータ記憶メモリＢに記録された複数の通報先に対して送信される。ステップ５４で送信が終了しない場合、即ちＮｏの場合は、他の通報先を通信装置１に入力して、文字情報１５ａを送信する。ステップ５４で、全ての通報先に対して文字情報１５ａを送信した場合にはこれを判別し、通報動作が終了したことを確認するとステップ５５に移行して通信装置１は通信が切断され通信終了となる。
【００１７】
他の押しボタンが押下された場合も、同様に動作し、押しボタンに関連した情報が予め定められた通報先に送信される。また、本実施例では、押しボタン４ａ〜４ｎに対応した文字情報１５ａ〜１５ｎを通報先に送信しているが、本発明では、必ずしも文字情報である必要はなく、音声、映像等どのような情報であってもよい。
本実施例によれば、通報先である通信装置を持つ人物Ｂは、押ボタンを押下した人物Ａが“体調が悪い”、“頭が痛い”などの言葉を発すことが不可能な状況下でも、人物Ｂは人物Ａの状況を文字情報で知ることができる。
また、図３の通報装置では、通報先の通信装置から文字情報をメモリに記憶しているために、その内容も、通報先の通信装置から変更することができる。例えば、高齢者の人がこの通報装置をもっており、新たな重要度の高い通報情報に変更したい場合、通報先の通信装置から文字情報等の通報情報を変更できるようにすると便利である。
【００１８】
以上述べた本発明の実施例では、文字情報を送信する場合を中心に説明を行ったが、図６のように音声情報を送信し、音声で通報してもよい。
図６は本発明による通報装置の第２の実施例を示す概略図である。図において、図１乃至図３と同じ構成要素に対しては、同一の符号を付し、その説明を省略する。
図６において、通報装置には更に、マイク２０、スピーカ２１、音声情報を制御装置２に取り込み、また、音声情報を出力する装置、即ち音声情報入出力装置２２が設けられている。本実施例では、押しボタン４ａ〜４ｎに対応する第１の音声情報、第２の音声情報、…、第ｎの音声情報をデータ記録メモリＢに格納しておき、押ボタン４ａ〜４ｎの何れかを押下された場合、例えば、押しボタン４ａが押下された場合、押ボタン４ａに対応する第１の音声情報、例えば“連絡下さい”という音声による通報を通報先の通信装置に対して行なう。また、押しボタン４ａが押下された場合、“押ボタン４ａが押されました”など、通報装置側のスピーカ２１で音声を出力し、使用者に第１の押しボタン（押しボタン４ａ）が押されたことを連絡するようにしてもよい。
また、この通報装置１から連絡を受け取った通報先の通信装置から文字情報が送信された場合、この文字情報をプログラム用メモリＡに入力し、このメモリで送信された文字情報を解析し、この解析結果をデータ記録メモリＢに格納されている情報と比較し、一致した場合には、マイク２０を自動的にオンし、マイク２０で拾った音を予め定められた時間、文字情報を送信してきた通報先に送信するようにする。このようにすることによって、遠隔の地にいる通報先に指定された人は、この通報装置の所有者の周囲の音を聞くことができるため、通報装置の所有者の無事を確認することができる。
【００１９】
図７は本発明による通報装置の第３の実施例を示す概略図である。図において、図１乃至図３と同じ構成要素に対しては、同一の符号を付し、その説明を省略する。
本実施例では、図に示すように、制御装置２に画像を取り込み、出力する画像情報入出力装置２４が接続されており、この画像情報入出力装置２４にはカメラ２３が接続されている。押しボタン４ａ〜４ｎに応じた第１の文字や画像情報、第２の文字や画像情報、…、第ｎの文字や画像情報をデータ記録メモリＢに格納しておき、押しボタン４ａ〜４ｎに応じた情報を所定の通報先に通報することができる。
これに対して、通報装置１から連絡を受け取った通報先の通信装置から文字情報が送信された場合、この文字情報をプログラム用メモリＡに入力し、このメモリで送信された文字情報を解析し、この解析結果をデータ記録メモリＢに格納されている情報と比較し、一致した場合には、自動的にカメラ２３をオンにして、カメラ２３で撮影された情景を所定時間、文字情報を送信してきた通報先に送信するようにする。このようにすることによって、遠隔の地にいる通報先に指定された人は、この通報装置の所有者の情景を観察することができるため、通報装置の所有者の無事を確認することができる。本実施例によれば、通報先で通報装置１側の状況を画像によって知ることができる。
【００２０】
図８は本発明による通報装置の第４の実施例を示す概略図である。図において、図１乃至図３と同じ構成要素に対しては、同一の符号を付し、その説明を省略する。
本実施例では、図に示すように、制御装置２に装置の位置情報を取得する機能を備えた装置、即ち位置情報入出力装置２６を接続し、この位置情報入出力装置２６に位置情報を計測するＧＰＳ２５を接続している。このように、することによって、通報装置１の位置情報を通報することができる。よって、相手側は、これにより、通報装置１の現在位置を知ることができる。
この場合、通報先からの情報（文字情報）を図６、図７の実施例と同様に解析し、予めメモリＢに格納されている情報と一致した場合には、自動的にＧＰＳ２５が動作し、ＧＰＳ２５で得られた位置情報を通報先に通知する。このようにして、通報先の人は通報装置の所有者がいる場所を知ることができる。
【００２１】
図９は本発明による通報装置の第５の実施例を示す概略図である。図において、図１乃至図３と同じ構成要素に対しては、同一の符号を付し、その説明を省略する。図において、制御装置２のプログラム用メモリＡにプログラムを用意しておき、ディスプレイ２８をディスプレイを制御するディスプレイ制御装置２９を介して制御装置に接続し、ディスプレイ２８に、“押ボタン１（押しボタン４ａ）が押されました”などをディスプレイ２８に表示させる。
また、外部機器として各押ボタン４ａ〜４ｎのそれぞれに対応したランプ２７ａ〜２７ｎを配置し、各ボタン４ａ〜４ｎの押下を点灯または点滅で表示させる。
また、更に、外部機器としてバイブレーション機能のあるバイブレーション装置３０を設け、このバイブレーション装置３０を、バイブレーション制御装置を介して制御装置２に接続している。このようにすると、１回または複数回の振動で、各押ボタン４ａ〜４ｎが押下されたことを、押ボタンを押下した人物に知らせることができる。
【００２２】
前述の実施例において示されたような外部機器を装置に接続することによって、通報先として登録されている通信装置、即ち相手側の通信装置から着呼、または、データを受信した場合に、前述の外部機器によって、音声情報、画像情報、位置情報を通報するようにしてもよい。
【００２３】
前述した文字、音声、画像、位置の情報を通報する装置の利用例を、一人暮らしの高齢者を対象とした場合を例にあげて説明する。
文字情報、音声情報等をデータ記録メモリＢに入力しておき、押しボタン４ａ〜４ｎを押下して相手方に通報する仕組みは、直接電話をかけずらい場合、“寂しい”、“連絡が欲しい”、といった直接言葉では伝えにくいときでも気軽に利用でき、また、“苦しい”といった言葉にできない場合も少しの動作で利用できる。
画像情報の通知は、カメラの取り付位置にもよるが、高齢者が倒れた場合、ケガをした場合などの現状をいち早く知らせることができる。
更に、位置情報による通知は、俳諧老人に対して自動通報させることにより、当人の発見を早めることができる。
【００２４】
操作性に関しても、ボタンを押す、または、長押しするといったような単純な操作で利用できるので高齢者にも理解し易い。更に、ボタンを押下したときに、ディスプレイ表示、ランプの点灯、バイブレーションの振動で押下した当人に確認できるようにしてある。
【００２５】
次に、前述した図１〜図３、図６〜図９の実施例を携帯電話にとして組み込んだ場合に付いて説明する。
図１０は本発明による通報装置を備えた携帯電話の一実施例を示す平面図である。
図１の通信装置１を携帯電話の通信部、制御装置２を携帯電話内蔵アプリケーション、押しボタン４ａ〜４ｎを有する押しボタン装置３を携帯電話の押ボタン装置３２とし、携帯電話単体を通報装置としている。通報の方法は、押しボタン装置の操作キーが予め定められた時間以上押されたときに、その操作キーに対応する情報を所定の通報先に通知する。即ち、操作キーの長押しすることによって、操作キーを押しボタン４ａ〜４ｎとして使用する。または、携帯電話本体に別ボタンを設け押下するとしてもよい。携帯電話にはマイク、スピーカディスプレイは装着されており、機種によっては、ＧＰＳやバイブレーション装置が装着されているので、これらを利用することがきる。
【００２６】
【発明の効果】
以上述べたように、本発明によれば、簡単な操作で、第三者になんらかの情報データの通報を行うことができる。
また、本装置ではボタンを押下、または長押しするだけで、必要な通報先に、適切な情報を通報することができるので、高齢者、幼年者でも容易に操作することができる。
【図面の簡単な説明】
【図１】本発明による通報装置の一実施例を示す概略図である。
【図２】図１に示す本発明による通報装置の詳細な一実施例を示すブロック図である。
【図３】図２に示す本発明による制御装置の更に詳細な一実施例を示すブロック図である。
【図４】図３に示すＣＰＵに通報先を記憶させる場合の処理動作を示すフローチャートである。
【図５】押ボタン装置の押しボタンが押下された時の通報動作を説明するためのフローチャートである。
【図６】本発明による通報装置の第２の実施例を示す概略図である。
【図７】本発明による通報装置の第３の実施例を示す概略図である。
【図８】本発明による通報装置の第４の実施例を示す概略図である。
【図９】本発明による通報装置の第５の実施例を示す概略図である。
【図１０】本発明による通報装置を備えた携帯電話の一実施例を示す平面図である。
【符号の説明】
１…メールの送受信が可能な通信装置、２…制御装置、３…ｎ個の押ボタンが設けられている押ボタン装置、４ａ〜４ｎ…押しボタン、５…外部アンテナ、６…アンテナケーブル、７、８ａ〜８ｎ…電気信号伝送ケーブル、９…入力信号検出部、１０…ＣＰＵ、１１…ランプ部、１２…通報先入力スイッチ、１３…外部バッテリー、１４…予め設定された相手先、１５ａ〜１５ｎ…押しボタン４ａ〜４ｎに対応する文字情報、１６ａ〜１６ｎ…第１〜第ｎの通報先、１７ａ〜１７ｎ…第１〜第ｎの通報文字情報スイッチ、１８ａ〜１８ｎ…第１〜第ｎの通報先スイッチ、１９ａ〜１９ｎ…通報先をデータ記録メモリＢに記録する場合に用いる第１〜第ｎの通報先記録スイッチ、２０…マイク、２１…スピーカ、２２…音声情報出力装置、２３…カメラ、２４…画像情報入出力装置、２５…ＧＰＳ、２６…位置情報入出力装置、２７ａ〜２７ｎ…ランプ、２８…ディスプレイ、２９…ディスプレイ制御装置、３０…バイブレーション装置、３１…バイブレーション制御装置、Ａ…プログラム用メモリ、Ｂ…データ記録メモリ。
【図１】
2004015082.tif 000003
【図２】
2004015082.tif 000004
【図３】
2004015082.tif 000005
【図４】
2004015082.tif 000006
【図５】
2004015082.tif 000007
【図６】
2004015082.tif 000008
【図７】
2004015082.tif 000009
【図８】
2004015082.tif 000010
【図９】
2004015082.tif 000011
【図１０】
2004015082.tif 000012